(57)【要約】【課題】チャンネルサーチ時においても、ラストチャンネルに容易に復帰することができ、チャンネルサーチを安価な構成で高速かつ正確に実現することが可能な移動型デジタル放送受信装置及びチャンネルサーチ方法を提供する。【解決手段】指示された物理チャンネルを選局する選局部と、選局された物理チャンネルの電界強度を測定する受信レベル測定部と、ラストチャンネル、中継局情報、チャンネルサーチリストを記憶する記憶部と、チャンネルサーチリストを作成するサーチリスト作成部と、チャンネルサーチリストに基づいてチャンネルサーチ処理を実行するサーチ処理部とを備え、サーチリスト作成部はラストチャンネル及び中継局情報に基づいて、中継局情報にラストチャンネルを任意の間隔で挿入したチャンネルサーチリストを作成して記憶部へ出力する。【選択図】図１
2010252071.tif 000002
【特許請求の範囲】
【請求項１】
選局要求を受信して、前記選局要求で指示された物理チャンネルを選局する選局部と、
選局された前記物理チャンネルの電界強度を測定する受信レベル測定部と、
ラストチャンネル、中継局情報及びチャンネルサーチリストを記憶する記憶部と、
前記チャンネルサーチリストを作成するサーチリスト作成部と、
記憶された前記チャンネルサーチリストに基づいて、チャンネルサーチ処理を実行するサーチ処理部と、を具備し、
前記サーチリスト作成部は、前記ラストチャンネル及び前記中継局情報に基づいて、前記中継局情報に前記ラストチャンネルを任意の間隔で挿入したチャンネルサーチリストを作成して前記記憶部へ出力する、ことを特徴とする移動型デジタル放送受信装置。
【請求項２】
前記サーチリスト作成部は、前記中継局情報と前記ラストチャンネルとが交互にサーチされるようにチャンネルサーチリストを作成する、ことを特徴とする請求項１に記載の移動型デジタル放送受信装置。
【請求項３】
前記サーチリスト作成部は、前記中継局情報の後に、前記中継局情報に記載の物理チャンネル以外の受信可能な残り全ての物理チャンネル情報を追加して第１のチャンネルサーチリストを作成し、作成した前記第１のチャンネルサーチリストに前記ラストチャンネルを任意の間隔で挿入した第２のチャンネルリストを作成して前記記憶部へ出力し、
前記サーチ処理部は、前記第２のチャンネルサーチリストに基づいて、チャンネルサーチ処理を実行する、ことを特徴とする請求項１に記載の移動型デジタル放送受信装置。
【請求項４】
前記サーチ処理部は、前記受信レベル測定部が測定した前記電界強度が受信可能なレベルである場合に、前記物理チャンネルのネットワーク識別情報及び系列識別情報に基づいて、中継局または系列局であるか否かを判断し、中継局または系列局である場合のみ前記物理チャンネルの受信を継続する、ことを特徴とする請求項１から3のいずれか1項に記載の移動型デジタル放送受信装置。
【請求項５】
ラストチャンネルを取得するステップと、
中継局情報を取得するステップと、
取得した前記中継局情報に、前記ラストチャンネルを任意の間隔で挿入したチャンネルサーチリストを作成するステップと、
作成した前記チャンネルサーチリストに基づいて、チャンネルサーチ処理を実行するステップと、
を有することを特徴とするチャンネルサーチ方法。
【請求項６】
ラストチャンネルを取得するステップと、
中継局情報を取得するステップと、
前記中継局情報に記載の物理チャンネル以外の、受信可能な残り全ての物理チャンネル情報を取得して第１のチャンネルサーチリストを作成するステップと、
前記第１のチャンネルサーチリストに、前記ラストチャンネルを任意の間隔で挿入した第２のチャンネルサーチリストを作成するステップと、
作成した前記第２のチャンネルサーチリストに基づいて、チャンネルサーチ処理を実行するステップと、
を有することを特徴とするチャンネルサーチ方法。
【発明の詳細な説明】
【技術分野】
【０００１】
本発明は、移動型デジタル放送受信装置及び移動型デジタル放送受信装置におけるチャンネルサーチ方法に関し、更に詳しくは、チャンネルサーチを高速化することが可能な移動型デジタル放送受信装置及び移動型デジタル放送受信装置におけるチャンネルサーチ方法に関する。
【背景技術】
【０００２】
従来、移動型放送受信装置では、基幹局（親局）のチャンネルサーチ後に、中継局をチャンネルサーチし、その後更に代替局（系列局）をチャンネルサーチして、電界強度が一定値以上の放送チャンネルが検出された場合に、その検出された放送チャンネルを継続受信するようにしている（例えば、特許文献１参照）。
【０００３】
ここで、中継局とは、地勢的な影響で親局だけでは目的とする地域をカバーできない時に、親局とは別の地域に設けられる補助的な放送局である。中継局は、親局と同一放送局であって同一番組を放送しており、この中継局に関する情報は、ＮＩＴ（Ｎｅｔｗｏｒｋ  Ｉｎｆｏｒｍａｔｉｏｎ  Ｔａｂｌｅ）の中継局リストとして移動型放送受信装置へ送信される。中継局リストを利用してチャンネルサーチを実行することにより、ある中継局から放送を受信ができない場合に、他の中継局から放送を受信して、同一放送局の同一番組を継続して視聴できる状態にすることが可能となる。
一方、各地域に設置される放送事業者同士ではつながりがあり、放送事業者同士は番組を送出する親局とその同一の番組を受けて放送する系列局の関係にある。系列の関係にある放送事業者同士では同一番組を放送している時間が多いがすべて同一であるとは限らない。系列局を識別する情報は、ＢＩＴ（Ｂｒｏａｄｃａｓｔｅｒ  Ｉｎｆｏｒｍａｔｉｏｎ  Ｔａｂｌｅ）の系列識別情報として移動型放送受信装置へ送信される。チャンネルサーチを実行する前に受信していたチャンネルと、同一の系列識別情報を持ち、かつ、放送事業者を識別することができるネットワーク識別情報が異なるものであれば、系列局とみなすことができる。また、同一系列局情報を持ち更にネットワーク識別情報が同一であれば同じ放送局であるため中継局とみなすことができる。
【先行技術文献】
【特許文献】
【０００４】
【特許文献１】特開平０７−２８８４４６号公報
【発明の概要】
【発明が解決しようとする課題】
【０００５】
デジタル放送では、１つのチャンネルに選局するために、５００ｍｓｅｃ程度の時間を要する。そのため、中継局または系列局をサーチしている間、チャンネルサーチ分の時間、それまで受信していた放送を視聴できない状態となってしまう。つまり、上記従来の移動型放送受信装置では、チャンネルサーチを実行中に、受信できなくなった元の物理チャンネル（直前の視聴チャンネル）が受信できるようになった場合であっても、実際にユーザが直前の視聴チャンネルを選局しない限りチャンネルサーチ完了後まで視聴できないという問題があった。
また、上記従来の移動型放送受信装置では、中継局・系列局のチャンネルサーチを放送信号として送出される中継局リスト・系列識別情報に基づいて実行しているため、中継局リストにない中継局または系列局は受信できないという問題もあった。
本発明は、上記の課題を解決するために成されたものであって、チャンネルサーチ実行中においても、直前に視聴していた放送チャンネルに容易に復帰することができ、チャンネルサーチを安価な構成で高速かつ正確に実現することが可能な移動型デジタル放送受信装置及び移動型デジタル放送受信装置におけるチャンネルサーチ方法を提供することを目的とする。
【課題を解決するための手段】
【０００６】
本発明の移動型デジタル放送受信装置は、選局要求を受信して、選局要求で指示された物理チャンネルを選局する選局部と、選局された物理チャンネルの電界強度を測定する受信レベル測定部と、ラストチャンネル、中継局情報及びチャンネルサーチリストを記憶する記憶部と、チャンネルサーチリストを作成するサーチリスト作成部と、記憶されたチャンネルサーチリストに基づいて、チャンネルサーチ処理を実行するサーチ処理部と、を具備し、サーチリスト作成部は、ラストチャンネル及び中継局情報に基づいて、中継局情報にラストチャンネルを任意の間隔で挿入したチャンネルサーチリストを作成して記憶部へ出力する、ことを特徴とする。
【０００７】
また、本発明の移動型デジタル放送受信装置におけるチャンネルサーチ方法は、ラストチャンネルを取得するステップと、中継局情報を取得するステップと、取得した中継局情報に、ラストチャンネルを任意の間隔で挿入したチャンネルサーチリストを作成するステップと、作成したチャンネルサーチリストに基づいて、チャンネルサーチ処理を実行するステップと、を有することを特徴とする。
【発明の効果】
【０００８】
以上説明したように、本発明によれば、チャンネルサーチ実行中に、チャンネルサーチ実行前に視聴していた放送チャンネルを任意の間隔で挿入し、直前の視聴チャンネルをサーチする頻度を増加させるとともに、受信可能な全ての放送局をチャンネルサーチするようにしたので、チャンネルサーチ実行中においても、直前に視聴していた放送チャンネルに容易に復帰することができ、チャンネルサーチを安価な構成で高速かつ正確に実現することができる。
【図面の簡単な説明】
【０００９】
【図１】本発明の実施の形態１にかかる移動型デジタル放送受信装置の構成を示すブロック図
【図２】同実施の形態にかかるチャンネルサーチ処理を示すフローチャート
【図３】同実施の形態にかかるチャンネルサーチリストの構成を示す図
【発明を実施するための形態】
【００１０】
（実施の形態１）
図１は、本発明の実施の形態１にかかる移動型デジタル放送受信装置の構成を示すブロック図である。移動型デジタル放送受信装置１００は、例えば車両等の移動体に設置されるデジタル放送受信装置であって、選局部１０１と、ラストチャンネル記憶部１０３と、サーチリスト作成部１０４と、サーチ処理部１０５から構成される。
【００１１】
選局部１０１は、サーチ処理部１０５からの選局要求に応じて、指示された物理チャンネルに同調する。また、放送信号として中継局リスト及び系列識別情報を受信する。
【００１２】
受信レベル測定部１０２は、選局部１０１が選局した物理チャンネルの電波強度を測定して、電波強度情報としてサーチ処理部１０５へ出力する。
【００１３】
記憶部１０３は、チャンネルサーチ処理を開始する前に選局していた直前の物理チャンネル（ラストチャンネル）を記憶する。また、サーチリスト作成部１０４が作成したチャンネルサーチリストを記憶する。更に、デジタル放送信号として取得した中継局リスト及び系列識別情報を記憶する。
【００１４】
サーチリスト作成部１０４は、サーチ処理部１０５からのチャンネルサーチリスト作成要求に応じて、記憶部１０３から中継局リストを取得し、チャンネルサーチリストを作成する。そして作成したチャンネルサーチリストを記憶部１０３へ出力するとともに、サーチ処理部１０５へチャンネルサーチリスト作成完了通知を出力する。チャンネルサーチリスト作成処理に関しては、後ほど図２を用いて詳述する。
【００１５】
サーチ処理部１０５は、ユーザからのチャンネルサーチ指示または視聴中の放送チャンネルの電波強度低下検出をトリガとして、サーチリスト作成部１０４へチャンネルサーチリスト作成要求を出力する。また、サーチリスト作成部１０４からのチャンネルリスト作成完了通知に応じて、記憶部１０３からチャンネルサーチリストを取得し、選局部１０１へ対しチャンネルサーチリスト記載の物理チャンネルを順次選局するよう選局要求を出力する。更に、受信レベル測定部１０２から電波強度情報を受け、選局指示を行った物理チャンネルが受信可能であるか否かを判断して、受信可能である場合であって、かつ選局指示を行った物理チャンネルが中継局または系列局である場合に、選局指示を行った物理チャンネルの受信を継続させる。サーチ処理に関しては、後ほど図２を用いて詳述する。
【００１６】
次に図２、図３を用いて、サーチリスト作成部１０４及びサーチ処理部１０５が実行するチャンネルサーチ処理について説明する。図２は本発明の実施の形態１にかかるチャンネルサーチ処理を示すフローチャートである。図３は、チャンネルサーチリストの構成を示す図である。チャンネルサーチ処理は、サーチリスト作成部１０４が実行するチャンネルサーチリスト作成処理（ステップＳ２０１からステップＳ２０５）とサーチ処理部１０５が実行するサーチ処理（ステップＳ２０６からステップＳ２０８）から構成される。
【００１７】
まず、サーチリスト作成部１０４は、サーチ処理部１０５からのチャンネルサーチリスト作成要求を受け、記憶部１０３からラストチャンネル、中継局リストを取得する（ステップＳ２０１、ステップＳ２０２）。そして、取得した中継局リストを周波数の低い順から順番に並べ（ステップＳ２０３）、その後で中継局リストに含まれない物理チャンネルを周波数の低い順から順番に並べたチャンネルサーチリストＡ（図３の（ａ））を作成する（ステップＳ２０４）。更に、チャンネルサーチリストＡに任意の間隔でラストチャンネルを挿入し、チャンネルサーチリストＢ（図３の（ｂ））を作成する（ステップＳ２０５）。本実施の形態１では、図３（ｂ）に示すように、任意の間隔をチャンネルサーチリストＡに記載の物理チャンネルと交互にサーチできるように設定している。サーチリスト作成部１０４はステップＳ２０５の処理完了後に、サーチ処理部１０５に対してチャンネルサーチリスト作成完了通知を出力する。
【００１８】
サーチ処理部１０５は、サーチリスト作成部１０４からのチャンネルサーチリスト作成完了通知を受け、チャンネルサーチリストＢに基づいて、選局部１０１へ選局要求を出力する。選局部１０１は、選局要求に応じて、対応する物理チャンネルを選局する（ステップＳ２０６）。受信レベル測定部１０２は、選局部１０１が選局した物理チャンネルの電界強度を測定し、電界強度情報をサーチ処理部１０５へ出力する。サーチ処理部１０５は、電界強度情報に基づいて、選局要求を行った物理チャンネルが受信可能なレベルであるか否かを判断し、受信可能なレベルであると判断した場合に（ステップＳ２０７で「ＹＥＳ」）、系列識別情報及びネットワーク識別情報に基づいて中継局／系列局を判断する（ステップＳ２０８）。中継局または系列局である場合は（ステップＳ２０８で「ＹＥＳ」）、検出した物理チャンネルの受信を継続する（ステップＳ２０９）。中継局及び系列局でない場合は（ステップＳ２０８で「ＮＯ」）、上記のステップＳ２０６からステップＳ２０８の処理を繰り返す。
【００１９】
一方、サーチ処理部１０５が選局要求を行った物理チャンネルが受信可能なレベルでないと判断した場合は（ステップＳ２０７で「ＮＯ」）、チャンネルサーチリストＢに記載された次の物理チャンネルの選局要求を選局部１０１へ出力し、受信可能なレベルの物理チャンネルが検出されるまで、上記のステップＳ２０６からステップＳ２０８の処理を繰り返す。
【００２０】
なお、本発明の実施の形態１では、ユーザからのチャンネルサーチ指示または視聴中の放送チャンネルの電波強度低下検出をトリガとして、サーチリスト作成部１０４へチャンネルサーチリスト作成要求を行い、チャンネルサーチリストＡ、チャンネルサーチリストＢを作成しているが、地域が変更されたタイミング等の任意のタイミングで事前にチャンネルサーチリストＡを作成しておき、ユーザからのチャンネルサーチ指示または視聴中の放送チャンネルの電波強度低下検出をトリガとしてチャンネルサーチリストＢのみを作成するようにしてもよい。
【００２１】
本発明によれば、受信レベルは劣化したが次のチャンネルサーチ処理でも検出可能性が高いラストチャンネルをチャンネルサーチリストに任意の間隔で挿入し、優先的にチャンネルサーチを繰り返すことにより、チャンネルサーチ時間の短縮を図ることができる。
【００２２】
また、特別にチャンネルサーチ処理を高速化するための新たな構成（例えば、別の専用チューナを設ける等）を追加する必要がなく、従来の１チューナ構成でチャンネルサーチ処理の高速化を実現することができる。
【００２３】
更に、中継局リストに記載されていない全ての物理チャンネルもチャンネルサーチするため、受信可能な物理チャンネルをもれなく正確に抽出することができる。
【産業上の利用可能性】
【００２４】
本発明によれば、チャンネルサーチ実行中においても、直前に視聴していた放送チャンネルに容易に復帰することができ、チャンネルサーチを安価な構成で高速かつ正確に実現することができるので、例えば、車載搭載用デジタル放送受信装置、携帯用デジタル放送受信装置等の全ての移動型デジタル放送受信装置に有用である。
【符号の説明】
【００２５】
１００    移動型デジタル放送受信装置
１０１    選局部
１０２    受信レベル測定部
１０３    記憶部
１０４    サーチリスト作成部
１０５    サーチ処理部
【図１】
2010252071.tif 000003
【図２】
2010252071.tif 000004
【図３】
2010252071.tif 000005